(57)【要約】  本開示の実施例は、バックホール経路切替方法、無線リレー、ネットワーク側ノード及び端末を提供する。本開示の実施例は、第２のバックホール経路を予め確立することにより、無線リンクに障害が生じたか又は関連する無線リレーの信号品質が要求を満たさない場合に、バックホール経路を切替る。
2021519007.tif 000002
【特許請求の範囲】
【請求項１】
第１の無線リレーに適用されるバックホール経路切替方法であって、
第１の無線リレーが、少なくともネットワーク側ノードから端末までの第１のバックホール経路と第２のバックホール経路が予め確立されている端末が現在使用している第１のバックホール経路を切替る必要があることを決定することと、
前記端末が現在使用しているバックホール経路を前記第１のバックホール経路から前記第２のバックホール経路に切替ることとを含み、
前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、バックホール経路切替方法。
【請求項２】
端末が現在使用している第１のバックホール経路を切替る必要があることを決定することは、
前記第１の無線リレーが、それ自体と、前記第１のバックホール経路内の前記第１の無線リレーの前ホップリレー又は次ホップリレーである第２の無線リレーとの間の無線リンク障害を検出すること、又は、
前記第１の無線リレーが、ネットワーク側ノードによって送信された、前記第１の無線リレーに前記端末のバックホール経路を切替るように指示する通知メッセージを受信することを含む、請求項１に記載の方法。
【請求項３】
第１の無線リレーがそれ自体と第２の無線リレーとの間の無線リンク障害を検出した後に、前記方法は、さらに、
前記第１の無線リレーが隣接リレー及びネットワーク側ノードに前記無線リンク障害の指示情報を送信することを含む、請求項２に記載の方法。
【請求項４】
前記第２のバックホール経路が少なくとも２つある場合、前記端末が現在使用しているバックホール経路を前記第１のバックホール経路から前記第２のバックホール経路に切替る前に、前記方法は、さらに、
端末によって報告された無線リレーの信号品質の測定結果に基づいて、少なくとも２つの前記第２のバックホール経路から、最適な信号品質を有する第２のバックホール経路を、切替先の第２のバックホール経路として選択することを含む、請求項１に記載の方法。
【請求項５】
前記第１の無線リレーがそれ自体と第２の無線リレーとの間の無線リンク障害を検出することは、
前記第１の無線リレーが、予め確立された、前記第２の無線リレーを含む隣接リレーの無線信号を検出することと、
第２の無線リレーの無線信号の検出結果に基づいて、前記第１の無線リレーと第２の無線リレーとの間のリンクに障害が生じたか否かを決定することとを含む、請求項２に記載の方法。
【請求項６】
端末が現在使用している第１のバックホール経路を切替る必要があることを決定する前に、前記方法は、さらに、
無線信号を検出することにより第１の無線リレーの周囲の無線リレーを検出し、
検出された無線リレーの情報をネットワーク側ノードに送信し、ネットワーク側ノードから返信された前記第１の無線リレーの隣接リストを受信し、又は、検出された無線リレーから、信号品質が所定の条件を満たす無線リレーを検出して、前記第１の無線リレーの隣接リレーを取得し、そして、
隣接リレーとの間のインタフェースを確立することにより、前記第１の無線リレーの少なくとも１つの隣接リレーを含む第１の無線リレーの隣接リストを確立することを含む、請求項１に記載の方法。
【請求項７】
端末が現在使用している第１のバックホール経路を切替る必要があることを決定するステップの前に、前記第１の無線リレーは、さらに、
前記第１の無線リレーが、前記端末によって送信された、前記端末のサービスリレーの隣接リレーの信号品質を含む測定報告情報を受信し、
前記第１の無線リレーが、前記測定報告情報に基づいて、前記端末に対して、前記第１の無線リレーから、前記サービスリレーの隣接リレーのうち信号品質が所定の閾値を満たすリレーである第１の隣接リレーまでのインタフェースを確立し、前記ネットワーク側ノードから前記端末までの第２のバックホール経路を形成することにより、前記端末に対して前記第２のバックホール経路を確立する、請求項１に記載の方法。
【請求項８】
前記第１のバックホール経路と前記第２のバックホール経路は異なるベアラリソースを用いてデータ伝送を行い、或いは、前記第１のバックホール経路と前記第２のバックホール経路は同じベアラリソースを用いてデータ伝送を行う、請求項７に記載の方法。
【請求項９】
前記第１の無線リレーが前記端末のサービスリレーである場合、前記端末によって送信された測定報告情報を受信する前に、さらに、
前記第１の無線リレーが、前記第１の無線リレーの隣接リレーの情報を含む測定設定情報を前記端末に送信することを含む、請求項７に記載の方法。
【請求項１０】
前記第２のバックホール経路のユーザプレーンがアクティブ化されていない場合、前記端末が現在使用しているバックホール経路を前記第１のバックホール経路から前記第２のバックホール経路に切替る前に、前記方法は、さらに、前記第２のバックホール経路のユーザプレーンをアクティブ化することを含む、請求項１に記載の方法。
【請求項１１】
ネットワーク側ノードに適用されるバックホール経路切替方法であって、
ネットワーク側ノードが、少なくとも第１のバックホール経路及び第２のバックホール経路が予め確立されている端末が現在使用している第１のバックホール経路を切替る必要があることを決定することと、
ネットワーク側ノードが、第１の無線リレーに前記端末のバックホール経路を切替るように指示する通知メッセージを前記第１の無線リレーに送信することとを含み、前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、バックホール経路切替方法。
【請求項１２】
端末が現在使用している第１のバックホール経路を切替る必要があることを決定することは、
前記ネットワーク側ノードが、前記第１の無線リレーによって報告された無線リンク障害の報告メッセージを受信することを含み、前記報告メッセージは、前記第１の無線リレーと第２の無線リレーとの間の無線リンク障害を指示し、前記第２の無線リレーは、前記第１のバックホール経路内の前記第１の無線リレーの前ホップリレー又は次ホップリレーである、請求項１１に記載の方法。
【請求項１３】
前記第２のバックホール経路が少なくとも２つある場合、前記第１の無線リレーに通知メッセージを送信することは、
前記ネットワーク側ノードが、前記端末からの無線リレーの信号品質の測定結果を受信し、少なくとも２つの前記第２のバックホール経路から、最適な信号品質を有する次ホップリレーが位置する第２のバックホール経路を、切替先の第２のバックホール経路として選択することと、
切替先の第２のバックホール経路を指示する前記通知メッセージを前記第１の無線リレーに送信することとを含む、請求項１１に記載の方法。
【請求項１４】
端末が現在使用している第１のバックホール経路を切替る必要があることを決定するステップの前に、前記ネットワーク側ノードは、さらに、
前記ネットワーク側ノードが、前記端末からの、前記端末のサービスリレーの隣接リレーの信号品質を含む測定報告情報を受信し、
前記ネットワーク側ノードが、前記測定報告情報に基づいて、前記ネットワーク側ノードから前記第１の無線リレーまでのインタフェース、前記ネットワーク側ノードから第１の隣接リレーまでのインタフェース、及び前記ネットワーク側ノードから前記前ホップリレーを経て前記第１の隣接リレーまでのインタフェースのうち少なくとも１つを前記端末に対して確立し、前記ネットワーク側ノードから前記端末までの第２のバックホール経路を形成することにより、前記端末に対して前記第２のバックホール経路を確立し、
前記第１の隣接リレーは、前記端末のサービスリレーの隣接リレーのうち、信号品質が所定の閾値を満たすリレーである、請求項１１に記載の方法。
【請求項１５】
前記端末からの無線リレーの信号品質の測定結果を受信する前に、前記方法は、さらに、
前記ネットワーク側ノードが、前記第１の無線リレーの隣接リレーの情報を含む測定設定情報を前記端末に送信することを含む、請求項１４に記載の方法。
【請求項１６】
端末に適用されるバックホール経路切替方法であって、
前記端末が第１の無線リレーの隣接リレーの信号品質を測定することと、
前記端末が、ネットワーク側ノード又は前記端末のサービスリレー若しくは前記サービスリレーの前ホップリレーである第１の無線リレーに、前記隣接リレーの信号品質の測定結果を報告することとを含む、バックホール経路切替方法。
【請求項１７】
無線リレーの信号品質を測定する前に、前記方法は、さらに、
前記端末が、前記ネットワーク側ノード又は第１の無線リレーによって送信された、前記第１の無線リレーの隣接リレーの情報を含む測定設定情報を受信することを含む、請求項１６に記載の方法。
【請求項１８】
少なくともネットワーク側ノードから端末までの第１のバックホール経路と第２のバックホール経路が予め確立されている前記端末が現在使用している第１のバックホール経路を切替る必要があることを決定する切替決定ユニットと、
前記端末が現在使用しているバックホール経路を前記第１のバックホール経路から第２のバックホール経路に切替る切替処理ユニットとを含み、
前記第１のバックホール経路と前記第２のバックホール経路内のリレーであり、かつ前記第１のバックホール経路と前記第２のバックホール経路内の前ホップリレー又は次ホップリレーが同じではない、第１の無線リレー。
【請求項１９】
プロセッサと、メモリと、前記メモリに記憶されて前記プロセッサで実行可能であり、かつ前記プロセッサによって実行される場合に請求項１〜１０のいずれか１項に記載のバックホール経路切替方法のステップを実現するコンピュータプログラムとを含む、第１の無線リレー。
【請求項２０】
少なくとも第１のバックホール経路及び第２のバックホール経路が予め確立されている端末が現在使用している第１のバックホール経路を切替る必要があることを決定する切替決定ユニットと、
第１の無線リレーに前記端末のバックホール経路を切替るように指示する通知メッセージを前記第１の無線リレーに送信する切替通知ユニットとを含み、
前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、ネットワーク側ノード。
【請求項２１】
プロセッサと、メモリと、前記メモリに記憶されて前記プロセッサで実行可能であり、かつ前記プロセッサによって実行される場合に請求項１１〜１５のいずれか１項に記載のバックホール経路切替方法のステップを実現するコンピュータプログラムとを含む、ネットワーク側ノード。
【請求項２２】
第１の無線リレーの隣接リレーの信号品質を測定する測定ユニットと、
ネットワーク側ノード、又はサービスリレー若しくは前記サービスリレーの前ホップリレーである第１の無線リレーに、前記隣接リレーの信号品質の測定結果を報告する報告ユニットとを含む、端末。
【請求項２３】
プロセッサと、メモリと、前記メモリに記憶されて前記プロセッサで実行可能であり、かつ前記プロセッサによって実行される場合に請求項１６〜１７のいずれか１項に記載のバックホール経路切替方法のステップを実現するコンピュータプログラムとを含む、端末。
【請求項２４】
プロセッサによって実行される場合に請求項１〜１７のいずれか１項に記載のバックホール経路切替方法のステップを実現するコンピュータプログラムが記憶されている、コンピュータ可読記憶媒体。
【発明の詳細な説明】
【技術分野】
【０００１】
本願は、２０１８年２月１４日に提出された中国特許出願第２０１８１０１５２１５３．６号の優先権を主張するものであり、その全ての内容は参照により本願に組み込まれる。
本開示は、通信の技術分野に関し、特に、バックホール経路切替方法、無線リレー、ネットワーク側ノード及び端末に関する。
【背景技術】
【０００２】
第５世代移動通信（５Ｇ）システムでは、無線リレーをバックホールネットワークのノード装置として採用することが検討されている。無線リレーバックホール技術は、６ＧＨｚ以上の高周波数帯の無線バックホールリンクを採用することを含む。無線リレー（Ｒｅｌａｙ）バックホール技術とは、ネットワーク側ノードと端末との間に１つ以上の無線リレーノードを追加することにより、無線信号の１回以上の中継転送を実現することであり、即ち、無線信号は一般的にマルチホップを経てこそ端末に到達する。
【０００３】
簡単な２ホップリレーを例にすると、一般的にネットワーク側ノードから端末までのリンクを、ネットワーク側ノードからリレーまでのリンクと該リレーから端末までのリンクとの２つのリンクに分割することにより、１つの品質の低いリンクを２つの品質の高いリンクに置き換えて、より大きなリンク容量とより優れたカバレッジを得る可能性がある。
【０００４】
高周波数帯上の無線リンク信号の安定性が低いため、一般的に、環境の影響を受けやすく、無線バックホール経路の中断を招くおそれがある。したがって、バックホール経路が中断されたときにデータ伝送を迅速に再開できる解決手段が求められている。
【発明の概要】
【課題を解決するための手段】
【０００５】
本開示の実施例は、バックホール経路が中断されたときにデータ伝送を迅速に再開するバックホール経路切替方法、無線リレー、ネットワーク側ノード及び端末を提供する。
【０００６】
第１の態様では、本開示の実施例は、第１の無線リレーに適用されるバックホール経路切替方法であって、
第１の無線リレーが、少なくともネットワーク側ノードから端末までの第１のバックホール経路と第２のバックホール経路が予め確立されている端末が現在使用している第１のバックホール経路を切替る必要があることを決定することと、
前記端末が現在使用しているバックホール経路を前記第１のバックホール経路から前記第２のバックホール経路に切替ることとを含み、前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、バックホール経路切替方法を提供する。
【０００７】
第２の態様では、本開示の実施例は、ネットワーク側ノードに適用されるバックホール経路切替方法であって、
ネットワーク側ノードが、少なくとも第１のバックホール経路及び第２のバックホール経路が予め確立されている端末が現在使用している第１のバックホール経路を切替る必要があることを決定することと、
ネットワーク側ノードが、第１の無線リレーに前記端末のバックホール経路を切替るように指示する通知メッセージを前記第１の無線リレーに送信することとを含み、前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、バックホール経路切替方法を提供する。
【０００８】
第３の態様では、本開示の実施例は、端末に適用されるバックホール経路切替方法であって、
前記端末が第１の無線リレーの隣接リレーの信号品質を測定することと、
前記端末が、ネットワーク側ノード又は前記端末のサービスリレー若しくは前記サービスリレーの前ホップリレーである第１の無線リレーに、前記隣接リレーの信号品質の測定結果を報告することとを含む、バックホール経路切替方法を提供する。
【０００９】
第４の態様では、本開示の実施例は、
少なくともネットワーク側ノードから端末までの第１のバックホール経路と第２のバックホール経路が予め確立されている端末が現在使用している第１のバックホール経路を切替る必要があることを決定する切替決定ユニットと、
前記端末が現在使用しているバックホール経路を前記第１のバックホール経路から前記第２のバックホール経路に切替る切替処理ユニットとを含み、前記第１のバックホール経路と前記第２のバックホール経路内のリレーであり、かつ前記第１のバックホール経路と前記第２のバックホール経路内の前ホップリレー又は次ホップリレーが同じではない、第１の無線リレーを提供する。
【００１０】
第５の態様では、本開示の実施例は、プロセッサと、メモリと、前記メモリに記憶されて前記プロセッサで実行可能であり、かつ前記プロセッサによって実行される場合に上述したバックホール経路切替方法のステップを実現するコンピュータプログラムとを含む、第１の無線リレーを提供する。
【００１１】
第６の態様では、本開示の実施例は、
少なくとも第１のバックホール経路及び第２のバックホール経路が予め確立されている端末が現在使用している第１のバックホール経路を切替る必要があることを決定する切替決定ユニットと、
第１の無線リレーに前記端末のバックホール経路を切替るように指示する通知メッセージを前記第１の無線リレーに送信する切替通知ユニットとを含み、前記第１の無線リレーは、前記第１のバックホール経路と前記第２のバックホール経路内のリレーであり、かつ前記第１のバックホール経路と前記第２のバックホール経路内の第１の無線リレーの前ホップリレー又は次ホップリレーが同じではない、ネットワーク側ノードを提供する。
【００１２】
第７の態様では、本開示の実施例は、プロセッサと、メモリと、前記メモリに記憶されて前記プロセッサで実行可能であり、かつ前記プロセッサによって実行される場合に上述したバックホール経路切替方法のステップを実現するコンピュータプログラムとを含む、ネットワーク側ノードを提供する。
【００１３】
第８の態様では、本開示の実施例は、
第１の無線リレーの隣接リレーの信号品質を測定する測定ユニットと、
ネットワーク側ノード又は端末のサービスリレー若しくは前記サービスリレーの前ホップリレーである第１の無線リレーに、前記隣接リレーの信号品質の測定結果を報告する報告ユニットとを含む、端末を提供する。
【００１４】
第９の態様では、本開示の実施例は、プロセッサと、メモリと、前記メモリに記憶されて前記プロセッサで実行可能であり、かつ前記プロセッサによって実行される場合に上述したバックホール経路切替方法のステップを実現するコンピュータプログラムとを含む、端末を提供する。
【００１５】
第１０の態様では、本開示の実施例は、プロセッサによって実行される場合に上述したバックホール経路切替方法のステップを実現するコンピュータプログラムが記憶されている、コンピュータ可読記憶媒体を提供する。
【００１６】
このように、本開示の実施例に係るバックホール経路切替方法、無線リレー、ネットワーク側ノード及び端末は、必要に応じて、端末が現在使用している第１のバックホール経路を予め確立された第２のバックホール経路に迅速に切替ることができ、バックホール経路の切替速度を高め、端末のデータ伝送を迅速に再開することができる。
【図面の簡単な説明】
【００１７】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労力をすることなく、これらの図面に基づいて他の図面を得ることができる。
【００１８】
【図１】本開示の実施例の適用シナリオの一例の図を示す。
【図２】本開示の実施例に係るバックホール経路切替方法のフローチャートを示す。
【図３】本開示の実施例に係るバックホール経路切替方法の別のフローチャートを示す。
【図４】本開示の実施例に係るバックホール経路切替方法のさらに別のフローチャートを示す。
【図５】本開示の実施例に係る第１の無線リレーの別の構造概略図を示す。
【図６】本発明の実施例に係る第１の無線リレーの別のブロック図を示す。
【図７】本開示の実施例に係るネットワーク側ノードの別の構造概略図を示す。
【図８】本発明の実施例に係るネットワーク側ノードの別のブロック図を示す。
【図９】本開示の実施例に係る端末の別の構造概略図を示す。
【図１０】本開示の実施例に係る端末の別のブロック図を示す。
【発明を実施するための形態】
【００１９】
以下、図面を参照しながら本開示の例示的な実施例をより詳細に説明する。図面に本開示の例示的な実施例が示されるが、本開示は様々な形態で実現することができ、ここに記載した実施例によって限定されないと理解すべきである。逆に、これらの実施例を提供するのは、本開示をさらに徹底的に理解し、本開示の範囲を完全に当業者に伝えるようにするためである。
【００２０】
本願の明細書及び特許請求の範囲における用語「第１」、「第２」等は、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含む過程、方法、システム、製品又は設備は、明確に挙げたステップ又はユニットに限定されず、明確に挙げていないか又はこれらの過程、方法、システム、製品又は設備に固有の他のステップ又はユニットを含んでもよい。
【００２１】
本開示の実施例では、ネットワーク側ノードの形態は限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局と呼ばれる）、拡張基地局（ｅＮＢ）、ホームノードＢ（Ｆｅｍｔｏ  ｅＮＢ、Ｈｏｍｅ  ｅＮｏｄｅ  Ｂ、Ｈｏｍｅ  ｅＮＢ又はＨｅＮＢ）、中継局、アクセスポイント、リモート無線ユニット（Ｒｅｍｏｔｅ  Ｒａｄｉｏ  Ｕｎｉｔ、ＲＲＵ）、リモート無線ヘッド（Ｒｅｍｏｔｅ  Ｒａｄｉｏ  Ｈｅａｄ、ＲＲＨ）、５Ｇモバイル通信システムにおけるネットワーク側ノード、例えば基地局（ｇＮＢ）、セントラルユニット（Ｃｅｎｔｒａｌ  Ｕｎｉｔ、ＣＵ）及び分散ユニット（ＤＵ、Ｄｉｓｔｒｉｂｕｔｅｄ  Ｕｎｉｔ）等であってよい。端末は、具体的には、携帯電話（又はスマートフォン）又は無線信号を送受信可能な他の装置、例えばユーザ装置（ＵＥ）、パーソナルデジタルアシスタント（ＰＤＡ）、無線モデム、無線通信装置、ハンドヘルドデバイス、ラップトップコンピュータ、コードレス電話、無線ローカル回路（ＷＬＬ）ステーション、移動信号をＷｉＦｉ信号に変換できるクライアント端末（Ｃｕｓｔｏｍｅｒ  Ｐｒｅｍｉｓｅ  Ｅｑｕｉｐｍｅｎｔ、ＣＰＥ）やモバイルスマートホットスポット、スマート家電、若しくは人間の操作なしで自発的に移動通信ネットワークと通信できる機器等であってよい。
【００２２】
図１は、マルチホップ無線リレーバックホール経路の一例を示し、図１には、無線リレー１〜７により無線リレーネットワークが構成され、ネットワーク側ノード（例えばＤｏｎｏｒ基地局、具体的には、Ｄｏｎｏｒ基地局はＤｏｎｏｒ  ｇＮＢであってよい）から順に無線リレー２、無線リレー４、無線リレー５を経て端末までのマルチホップバックホール経路が確立される。５Ｇシステムを例にすると、図１の無線リレーは、アクセスバックホール統合（Ｉｎｔｅｇｒａｔｅｄ  Ａｃｃｅｓｓ  ａｎｄ  Ｂａｃｋｈａｕｌ、ＩＡＢ）と呼ばれてよい。ＩＡＢは、完全な基地局機能を有してもよく、基地局と類似したデータ転送機能のみを有してもよい。有線インタフェースによって接続されるネットワーク側ノードは基地局であり、本開示の実施例ではＤｏｎｏｒ基地局（ＤＩＡＢ）とも呼ばれる。ＩＡＢとＤＩＡＢとの間には無線インタフェースによって通信する。ＩＡＢとＩＡＢとの間にも無線インタフェースによって通信する。本開示の実施例では、端末がアクセスした、端末（ＵＥ）に直接サービスするＩＡＢは、サービスリレー（Ｓｅｒｖｉｎｇ  ＩＡＢ、ＳＩＡＢ）と呼ばれてよい。上記バックホール経路内に、ＳＩＡＢの前ホップＩＡＢは、ＮＩＡＢ（Ｎｅｘｔ  ＩＡＢ）と呼ばれてよい。
【００２３】
５Ｇシステムでは、無線リレーをバックホールネットワークのノード装置として採用し、バックホールネットワークを構築することが検討されている。現在、無線リレー間の隣接関係をどのように確立及び維持するかについて、まだ解決手段が特定されていない。また、無線リレーが高周波数帯で動作している場合、高周波数帯上の無線リンクの信号安定性が低いため、環境の影響を受けやすく、無線バックホールリンクの中断を招くおそれがある。したがって、本開示の実施例では、無線バックホールリンクが中断されたとき、新たな中継無線バックホールリンクを迅速に見つけて確立する方法も提供する。以下、それぞれ説明する。
【００２４】
本開示の実施例では、無線リレー間又は無線リレーとネットワーク側ノードとの間の伝送が中断されたとき、リレー間又はリレーとネットワーク側ノードとの間のデータ伝送を迅速に再開することができる。図２を参照して、本開示の一実施例は、第１の無線リレーに適用されるバックホール経路切替方法を提供し、図２に示すように、該方法は、以下を含む。
【００２５】
ステップ２１で、第１の無線リレーは、少なくともネットワーク側ノードから端末までの第１のバックホール経路と第２のバックホール経路が予め確立されている端末が現在使用している第１のバックホール経路を切替る必要があることを決定し、上記第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない。
【００２６】
本開示の実施例では、前記第１の無線リレーは、それ自体と第２の無線リレーとの間の無線リンク障害（Ｒａｄｉｏ  Ｌｉｎｋ  Ｆａｉｌｕｒｅ、ＲＬＦ）を検出したとき、端末が現在使用している第１のバックホール経路を切替る必要があることを決定することができる。ここで、上記第２の無線リレーは、上記第１のバックホール経路内の上記第１の無線リレーの前ホップリレー又は次ホップリレーである。前ホップリレーとは、第１のバックホール経路において、第２の無線リレーが上記第１の無線リレーの上流位置に位置することであり、逆に、次ホップリレーとは、第１のバックホール経路において、第２の無線リレーが上記第１の無線リレーの下流位置に位置することである。
【００２７】
別の実施態様として、上記第１の無線リレーは、さらに、ネットワーク側ノードによって送信された、上記第１の無線リレーに前記端末のバックホール経路を切替るように指示する通知メッセージを受信するとき、端末が現在使用している第１のバックホール経路を切替る必要があることを決定することができる。この場合、ネットワーク側ノードによってバックホール経路の切替を制御し、例えば、ネットワーク側ノードは、第１の無線リレーに関連する無線リンクの障害を発見したとき、又は品質のより高いバックホール経路を発見したとき、バックホール経路の切替をトリガする。
【００２８】
ステップ２２で、上記端末が現在使用しているバックホール経路を上記第１のバックホール経路から上記第２のバックホール経路に切替る。
【００２９】
以上のステップでは、第１の無線リレーは、経路切替の必要があるか否かを判断し、必要があれば、端末が現在使用しているバックホール経路を上記第１のバックホール経路から上記第２のバックホール経路に切替し、バックホール経路の切替を実現することにより、無線リンクに障害が生じたか又は関連する無線リレーの信号品質が要求を満たさない場合に、バックホール経路を切替ることができる。本開示の実施例では、端末に対して複数のバックホール経路が予め確立されることにより、経路切替を行うとき、バックホール経路を再確立する時間を省くことができ、経路切替の速度を高め、端末のデータ伝送を迅速に再開することができる。
【００３０】
また、ネットワーク管理を容易にし、障害情報の即時報告を実現するために、本開示の実施例では、第１の無線リレーがそれ自体と第２の無線リレーとの間の無線リンク障害を検出した後、上記第１の無線リレーは、隣接リレー及びネットワーク側ノードに上記無線リンク障害の指示情報を送信して障害を通知することができる。
【００３１】
本開示の実施例では、端末に対してネットワーク側ノードから上記端末までの少なくとも２つの上記第２のバックホール経路が確立される可能性があり、この場合、第１の無線リレーは、現在使用している上記第１のバックホール経路をいずれかの第２のバックホール経路に切替ることができる。さらに、本開示の実施例では、第１の無線リレーは、さらに、端末によって報告された無線リレーの信号品質の測定結果に基づいて、最適な信号品質を有する第２のバックホール経路を、切替先の目標第２のバックホール経路として選択し、さらに端末のバックホール経路を該目標第２のバックホール経路に切替ることができる。ここで、最適な信号品質を有する第２のバックホール経路は、全ての第２のバックホール経路のうち、最適な信号品質を有する前ホップリレーが位置するバックホール経路であってもよく、全ての第２のバックホール経路のうち、最適な信号品質を有する次ホップリレーが位置するバックホール経路であってもよい。ここでの前ホップリレーとは、第２のバックホール経路内の第１の無線リレーの前ホップリレーであり、次ホップリレーとは、第２のバックホール経路内の第１の無線リレーの次ホップリレーである。
【００３２】
無線リンク障害（Ｒａｄｉｏ  Ｌｉｎｋ  Ｆａｉｌｕｒｅ、ＲＬＦ）を適時に発見するために、本開示の実施例では、上記第１の無線リレーは、予め確立された、上記第２の無線リレーを含む隣接リレーの無線信号を検出し、さらに、第２の無線リレーの無線信号の検出結果に基づいて、上記第１の無線リレーと第２の無線リレーとの間のリンクに障害が生じたか否かを決定することができる。
【００３３】
さらに、本開示の実施例では、上記ステップ２１の前に、第１の無線リレーの少なくとも１つの隣接リレーを含む上記第１の無線リレーの隣接リストを予め確立することができる。隣接リストの確立は、第１の無線リレーが無線信号を検出することにより第１の無線リレーの周囲の無線リレーを検出することと、第１の無線リレーが検出された無線リレーの情報をネットワーク側ノードに送信し、ネットワーク側ノードから返信された上記第１の無線リレーの隣接リストを受信し、又は、検出された無線リレーから、信号品質が所定の条件を満たす無線リレーを検出して、上記第１の無線リレーの隣接リレーを取得することと、第１の無線リレーがそれ自体と隣接リスト内の各隣接リレーとのインタフェースを確立したか否かを判断し、インタフェースを確立していない隣接リレーがあれば、第１の無線リレーと該隣接リレーとのインタフェースを確立することとを含む。
【００３４】
本開示の実施例では、１つの実施形態として、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）を信号品質の参照標準として使用してもよく、例えば、第１の無線リレーが、ある無線リレーのＲＳＲＰが所定のある基準閾値よりも大きいと検出したとき、それを隣接リレーとすることができる。もちろん、本開示の実施例は、他の信号品質の指標、例えば受信信号強度指示（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）、信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、信号対干渉及び雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）等を採用してもよい。
【００３５】
さらに、第１の無線リレーの隣接リストを確立する前に、上記第１の無線リレーは、ネットワーク側ノードとのインタフェースを確立したり、他の無線リレーとのインタフェースを確立したりすることで、バックホールネットワークに参加することができる。例えば、第１の無線リレーは、初回の配置又は起動／再起動後に、上述したネットワーク側ノード又は他の無線リレーとのインタフェースを確立することができる。ここで、上記他の無線リレーは、バックホールネットワークに参加したリレーである。
【００３６】
具体的には、第１の無線リレーがネットワーク側ノードとのインタフェースを確立する１つの態様は、以下を含むことができる。第１の無線リレーは、ネットワーク側ノードの信号を傍受したとき、上記ネットワーク側ノードに第１の接続要求メッセージを送信することができ、上記第１の接続要求メッセージには、リレー識別認証のための第１の無線リレーの識別情報が搬送され、さらに、該第１の接続要求メッセージには、セルＩＤ、物理セル識別子（ＰＣＩ）、周波数ビン及びビームインデックス（ｂｅａｍ  ｉｎｄｅｘ）のうちの１つ以上が搬送されてもよい。そして、ネットワーク側ノードは、第１の接続要求メッセージを、無線リレーのアクセスを管理するネットワークエレメント、例えばモビリティ及びアクセス管理（Ａｃｃｅｓｓ  ａｎｄ  Ｍｏｂｉｌｉｔｙ  Ｍａｎａｇｅｍｅｎｔ、ＡＭＦ）ネットワークエレメントに送信して認証することができる。認証が成功した後、上記ネットワークエレメントは、第１の無線リレーを受ける接続要求をネットワーク側ノードにフィードバックし、このとき、ネットワーク側ノードは、第１の無線リレーに第１の接続確立メッセージを送信することができる。上記第１の無線リレーは、上記ネットワーク側ノードによって送信された第１の接続確立メッセージを受信し、上記ネットワーク側ノードとのインタフェースを確立する。
【００３７】
第１の無線リレーがネットワーク側ノードとのインタフェースを確立する別の確立態様として、上記第１の無線リレーは、第３の無線リレーによって転送された第２の接続確立メッセージを受信した後、上記ネットワーク側ノードとのインタフェースを確立することができる。ここで、上記第３の無線リレーは、バックホールネットワークに参加したリレーであってよい。上記第２の接続確立メッセージは、前記ネットワーク側ノードが第３の無線リレーによって転送されるものである。該確立態様では、第３の無線リレーの、ネットワーク側ノードと第１の無線リレーとの間の転送メッセージにより確立する。また、上記第２の接続確立メッセージを受信する前に、上記第１の無線リレーは、上記第３の無線リレーの信号を傍受したとき、リレー識別認証のための上記第１の無線リレーの識別情報を搬送した第２の接続要求メッセージを、上記第３の無線リレーに送信することができる。同様に、第２の接続要求メッセージを、無線リレーのアクセスを管理するネットワークエレメントに転送して認証することができ、ここでは説明を省略する。
【００３８】
ネットワーク側ノードとのインタフェースを確立することにより上記バックホールネットワークに参加することに加えて、本開示の実施例では、上記第１の無線リレーは、さらに、上記バックホールネットワークに参加した他の無線リレー（説明の便宜上、ここでは第２の無線リレーと呼ぶ）とのインタフェースを確立することにより、上記バックホールネットワークに参加することができる。例えば、上記第１の無線リレーは、上記第２の無線リレーの信号を傍受したとき、リレー識別認証のための上記第１の無線リレーの識別情報を搬送した第３の接続要求メッセージを、上記第２の無線リレーに送信することができる。第２の無線リレーは、第３の接続要求を、無線リレーのアクセスを管理するネットワークエレメントに転送して認証することができ、ここでは説明を省略する。認証が成功した後、第２の無線リレーは、第３の接続確立メッセージを第１の無線リレーに送信することができ、このとき、上記無線リレーは、上記第３の接続確立メッセージを受信し、上記第２の無線リレーとのインタフェースを確立する。
【００３９】
バックホール経路を迅速に切替るために、本開示の実施例では、端末に対して少なくとも１つの第２のバックホール経路を予め確立する必要がある。具体的には、１つの実施形態として、本開示の実施例では、第１の無線リレーによって上記第２のバックホール経路を確立することができ、具体的には、以下を含むことができる。上記第１の無線リレーは、上記端末によって送信された、上記端末のサービスリレーの隣接リレーの信号品質を含む測定報告情報を受信する。そして、上記第１の無線リレーは、上記測定報告情報に基づいて、上記端末に対して、上記第１の無線リレーから、上記サービスリレーの隣接リレーのうち信号品質が所定の閾値を満たすリレーである第１の隣接リレーまでのインタフェースを確立し、上記ネットワーク側ノードから上記端末までの第２のバックホール経路を形成する。端末に対して第１の無線リレーから第１の隣接リレーまでのインタフェースを確立することにより、インタフェースと上記端末とのバインディング関係を実現し、上記インタフェースを介して端末データの転送を行うことができ、すなわち、対応するバックホール経路が確立される。
【００４０】
具体的には、本開示の実施例で確立された上記第１のバックホール経路と上記第２のバックホール経路は、異なるベアラリソースを用いてデータ伝送を行うか又は同じベアラリソースを用いてデータ伝送を行うことができ、すなわち、分離した伝送チャネルを搬送する。
【００４１】
また、上記第１の無線リレーが上記端末のサービスリレーであるとき、上記第１の無線リレーは、上記第１の無線リレーの隣接リレーの情報を含む測定設定情報を上記端末に送信することにより、上記端末に上記サービスリレーの隣接リレーの信号品質を測定するように指示することができる。さらに、上記測定設定情報は、さらに、サービスリレーの信号品質の所定の閾値、及び上記サービスリレーの隣接リレーの信号品質の所定の閾値のうち１つ以上を含むことができる。上記所定の閾値に基づいて、端末は、対応する閾値を満たすサービスリレー／隣接リレーの信号品質のみをフィードバックすることにより、必要な伝送データ量を低減することができる。
【００４２】
また、本開示の実施例では、上記第２のバックホール経路を確立するとき、伝送リソースを節約するように、第２のバックホール経路の制御プレーンのみをアクティブ化し、第２のバックホール経路のユーザプレーンをアクティブ化しなくてよい。この場合、上記端末が現在使用しているバックホール経路を上記第１のバックホール経路から上記第２のバックホール経路に切替る前に、上記第２のバックホール経路のユーザプレーンを先にアクティブ化してから、上記経路の切替処理を行う必要がある。
【００４３】
以上の実施例では、第１の無線リレーが第２のバックホール経路を予め確立し、かつ必要に応じてバックホール経路を切替ることを実現し、障害回復速度を高め、端末のデータ伝送を改善することができる。
【００４４】
次に、ネットワーク側ノードから本開示の実施例に係るバックホール経路切替方法について説明し、図３を参照して、本開示の実施例に係る経路切替方法は、ネットワーク側ノードに適用される場合、以下を含む。
【００４５】
ステップ３１で、ネットワーク側ノードは、少なくとも第１のバックホール経路及び第２のバックホール経路が予め確立されている端末が現在使用している第１のバックホール経路を切替る必要があることを決定し、第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない。
【００４６】
ここで、上記ネットワーク側ノードは、上記第１の無線リレーによって報告された無線リンク障害の報告メッセージを受信し、上記報告メッセージが上記第１の無線リレーと第２の無線リレーとの間の無線リンク障害を指示するとき、端末が現在使用している第１のバックホール経路を切替る必要があることを決定する。上記第２の無線リレーは、上記第１のバックホール経路内の上記第１の無線リレーの前ホップリレー又は次ホップリレーである。
【００４７】
ステップ３２で、ネットワーク側ノードは、上記第１の無線リレーに上記端末のバックホール経路を切替るように指示する通知メッセージを、上記第１の無線リレーに送信する。
【００４８】
以上のステップでは、ネットワーク側ノードは、経路切替の必要があるか否かを判断し、必要があれば、端末が現在使用しているバックホール経路を上記第１のバックホール経路から上記第２のバックホール経路に切替し、バックホール経路の切替を実現することにより、無線リンクに障害が生じたか又は関連する無線リレーの信号品質が要求を満たさない場合に、バックホール経路を切替ることができる。本開示の実施例では、端末に対して複数のバックホール経路が予め確立されることにより、経路切替を行うとき、バックホール経路を再確立する時間を省くことができ、経路切替の速度を高め、端末のデータ伝送を迅速に再開することができる。
【００４９】
同様に、本開示の実施例では、端末に対してネットワーク側ノードから上記端末までの少なくとも２つの上記第２のバックホール経路が確立される可能性があり、この場合、第１の無線リレーは、現在使用している上記第１のバックホール経路をいずれかの第２のバックホール経路に切替ることができる。さらに、本開示の実施例では、ネットワーク側ノードは、さらに、端末によって報告された無線リレーの信号品質の測定結果に基づいて、少なくとも２つの上記第２のバックホール経路から、最適な信号品質を有する第２のバックホール経路を、切替先の目標第２のバックホール経路として選択し、さらに上記通知情報を上記第１の無線リレーに送信することができ、上記通知情報は、切替先の目標第２のバックホール経路をも指示する。ここで、最適な信号品質を有する第２のバックホール経路は、全ての第２のバックホール経路のうち、最適な信号品質を有する前ホップリレーが位置するバックホール経路であってもよく、全ての第２のバックホール経路のうち、最適な信号品質を有する次ホップリレーが位置するバックホール経路であってもよい。ここでの前ホップリレーとは、第２のバックホール経路内の第１の無線リレーの前ホップリレーであり、次ホップリレーとは、第２のバックホール経路内の第１の無線リレーの次ホップリレーである。
【００５０】
本開示の実施例では、ネットワーク側ノードによって、端末に対して少なくとも１つの第２のバックホール経路を予め確立してもよい。具体的には、上記ステップ３１の前に、上記ネットワーク側ノードは、さらに、以下のようにして、上記端末に対して上記第２のバックホール経路を確立する。上記ネットワーク側ノードは、上記端末からの、上記サービスリレーの隣接リレーの信号品質を含む測定報告情報を受信する。そして、上記ネットワーク側ノードは、上記測定報告情報に基づいて、上記ネットワーク側ノードから上記第１の無線リレーまでのインタフェース、上記ネットワーク側ノードから第１の隣接リレーまでのインタフェース、及び上記ネットワーク側ノードから上記前ホップリレーを経て上記第１の隣接リレーまでのインタフェースのうち少なくとも１つを上記端末に対して確立し、上記ネットワーク側ノードから上記端末までの第２のバックホール経路を形成する。上記第１の隣接リレーは、上記端末のサービスリレーの隣接リレーのうち、信号品質が所定の閾値を満たすリレーである。
【００５１】
同様に、本開示の実施例に係るネットワーク側ノードは、さらに、上記第１の無線リレーの隣接リレーの情報を含む測定設定情報を上記端末に送信することにより、上記端末に上記サービスリレーの隣接リレーの信号品質を測定するように指示することができる。さらに、上記測定設定情報は、さらに、サービスリレーの信号品質の所定の閾値、及び上記サービスリレーの隣接リレーの信号品質の所定の閾値のうち１つ以上を含むことができる。上記所定の閾値に基づいて、端末は、対応する閾値を満たすサービスリレー／隣接リレーの信号品質のみをフィードバックすることにより、必要な伝送データ量を低減することができる。
【００５２】
以下、さらに、端末側からバックホール経路切替過程における行動について説明する。
【００５３】
図４を参照して、本開示の実施例に係るバックホール経路切替方法は、端末に適用される場合、以下を含む。
【００５４】
ステップ４１で、上記端末は第１の無線リレーの隣接リレーの信号品質を測定する。
【００５５】
ステップ４２で、上記端末は、ネットワーク側ノード又は上記端末のサービスリレーＳＩＡＢ若しくは上記サービスリレーの前ホップリレーＮＩＡＢである第１の無線リレーに、上記隣接リレーの信号品質の測定結果を報告する。
【００５６】
ここで、無線リレーの信号品質を測定する前に、上記端末は、さらに、上記ネットワーク側ノード又は第１の無線リレーによって送信された、上記第１の無線リレーの隣接リレーの情報を含む測定設定情報を受信することにより、第１の無線リレーの隣接リレーを狙って測定することができる。
【００５７】
さらに、上記測定設定情報は、さらに、サービスリレーの信号品質の所定の閾値、及び上記サービスリレーの隣接リレーの信号品質の所定の閾値のうち１つ以上を含むことができる。上記所定の閾値に基づいて、端末は、対応する閾値を満たすサービスリレー／隣接リレーの信号品質のみをフィードバックすることにより、必要な伝送データ量を低減することができる。
【００５８】
本開示の実施例に係るバックホール経路切替方法は、第２のバックホール経路を予め確立することにより、必要に応じて、端末が現在使用している第１のバックホール経路を予め確立された第２のバックホール経路に迅速に切替ることができ、バックホール経路の切替速度を高め、端末のデータ伝送を迅速に再開することができる。
【００５９】
以上の実施例では、それぞれ異なるシーンでのバックホール経路切替方法が詳細に説明され、以下、本実施例は、図面を参照しながら対応する装置をさらに説明する。
【００６０】
以上の実施例に係るバックホール経路切替方法に基づいて、本開示の実施例は、さらに、図５に示すように、
少なくともネットワーク側ノードから端末までの第１のバックホール経路と第２のバックホール経路が予め確立されている端末が現在使用している第１のバックホール経路を切替る必要があることを決定する切替決定ユニット５１と、
上記端末が現在使用しているバックホール経路を上記第１のバックホール経路から上記第２のバックホール経路に切替る切替処理ユニット５２とを含み、上記第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない第１の無線リレー５０を提供する。
【００６１】
好ましくは、上記切替決定ユニットは、
上記第１の無線リレーと上記第１のバックホール経路内の上記第１の無線リレーの前ホップリレー又は次ホップリレーである第２の無線リレーとの間の無線リンク障害を検出する第１の検出ユニット、又は
ネットワーク側ノードによって送信された、上記第１の無線リレーに上記端末のバックホール経路を切替るように指示する通知メッセージを受信する第１の受信ユニットを含む。
【００６２】
好ましくは、上記第１の無線リレーは、さらに、
第１の無線リレーと第２の無線リレーとの間の無線リンク障害を検出した後、隣接リレー及びネットワーク側ノードに上記無線リンク障害の指示情報を送信する指示ユニットを含む。
【００６３】
好ましくは、上記第１の無線リレーは、さらに、
上記第２のバックホール経路が少なくとも２つある場合、端末によって報告された無線リレーの信号品質の測定結果に基づいて、少なくとも２つの上記第２のバックホール経路から、最適な信号品質を有する第２のバックホール経路を、切替先の第２のバックホール経路として選択する経路選択ユニットを含む。
【００６４】
好ましくは、上記第１の無線リレーにおいて、上記第１の検出ユニットは、具体的には、予め確立された、上記第２の無線リレーを含む隣接リレーの無線信号を検出し、第２の無線リレーの無線信号の検出結果に基づいて、上記第１の無線リレーと第２の無線リレーとの間のリンクに障害が生じたか否かを決定する。
【００６５】
好ましくは、上記第１の無線リレーは、さらに、
無線信号を検出することにより第１の無線リレーの周囲の無線リレーを検出し、検出された無線リレーの情報をネットワーク側ノードに送信し、ネットワーク側ノードから返信された上記第１の無線リレーの隣接リストを受信し、又は、検出された無線リレーから、信号品質が所定の条件を満たす無線リレーを検出して、上記第１の無線リレーの隣接リレーを取得し、そして、隣接リレーとのインタフェースを確立する隣接確立ユニットを含む。
【００６６】
好ましくは、上記第１の無線リレーは、さらに、
上記端末によって送信された、上記端末のサービスリレーの隣接リレーの信号品質を含む測定報告情報を受信し、上記測定報告情報に基づいて、上記端末に対して、上記第１の無線リレーから、上記サービスリレーの隣接リレーのうち信号品質が所定の閾値を満たすリレーである第１の隣接リレーまでのインタフェースを確立し、上記ネットワーク側ノードから上記端末までの第２のバックホール経路を形成する経路確立ユニットを含む。
【００６７】
好ましくは、上記第１のバックホール経路と上記第２のバックホール経路は異なるベアラリソースを用いてデータ伝送を行い、或いは、上記第１のバックホール経路と上記第２のバックホール経路は同じベアラリソースを用いてデータ伝送を行う。
【００６８】
好ましくは、上記第１の無線リレーは、さらに、
上記第１の無線リレーの隣接リレーの情報を含む測定設定情報を上記端末に送信する設定送信ユニットを含む。
【００６９】
好ましくは、上記第１の無線リレーは、さらに、
上記第２のバックホール経路のユーザプレーンがアクティブ化されていない場合、上記端末が現在使用しているバックホール経路を上記第１のバックホール経路から上記第２のバックホール経路に切替る前に、上記第２のバックホール経路のユーザプレーンをアクティブ化するアクティブ化処理ユニットを含む。
【００７０】
本開示の実施例は、さらに、別の第１の無線リレーを提供する。図６に示すように、該第１の無線リレー６００は、アンテナ６１、無線周波数装置６２及びベースバンド装置６３を含む。アンテナ６１は無線周波数装置６２と接続される。アップリンク方向に沿って、無線周波数装置６２は、アンテナ６１を介して情報を受信し、かつ受信した情報をベースバンド装置６３に送信して処理を行う。ダウンリンク方向に沿って、ベースバンド装置６３は、送信対象となる情報を処理し、無線周波数装置６２に送信し、無線周波数装置６２は、受信した情報を処理してからアンテナ６１を介して送信する。
【００７１】
上記帯域処理装置は、ベースバンド装置６３内に位置してよく、以上の実施例における第１の無線リレーが実行する方法は、ベースバンド装置６３において実現されてよく、該ベースバンド装置６３はプロセッサ６４及びメモリ６５を含む。
【００７２】
ベースバンド装置６３は、例えば少なくとも１つのベースバンドボードを含んでよく、該ベースバンドボードに複数のチップが設置され、図６に示すように、そのうち１つのチップは、例えばメモリ６５と接続され、メモリ６５内のプログラムを呼び出して以上の方法実施例に示す第１の無線リレーの動作を実行するプロセッサ６４である。
【００７３】
該ベースバンド装置６３は、無線周波数装置６２と情報をやり取りするネットワークインタフェース６６をさらに含んでよく、該インタフェースは、例えば共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【００７４】
ここでのプロセッサは１つのプロセッサであってもよく、複数の処理素子の総称であってもよく、例えば、該プロセッサはＣＰＵであってもよく、ＡＳＩＣであってもよく、又は、以上の第１の無線リレーによって実行される方法を実施するように設定された１つ以上の集積回路、例えば１つ以上のマイクロプロセッサＤＳＰや１つ以上のフィールドプログラマブルゲートアレイＦＰＧＡ等である。記憶素子は１つのメモリであってもよく、複数の記憶素子の総称であってもよい。
【００７５】
メモリ６５は、揮発性メモリ又は不揮発性メモリであってもよく、揮発性と不揮発性メモリの両方を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、多くの形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）等を使用することができる。本願において説明されるメモリ６５は、これらと他の任意の適切なタイプのメモリを含むが、それらに限定されない。
【００７６】
具体的には、本開示の実施例に係る第１の無線リレーは、さらに、メモリ６５に記憶されプロセッサ６４で実行可能なコンピュータプログラムを含み、プロセッサ６４は、メモリ６５内のコンピュータプログラムを呼び出して、図５に示す各モジュールによって実行される方法を実行する。
【００７７】
具体的には、コンピュータプログラムは、プロセッサ６４によって呼び出されたとき、
少なくともネットワーク側ノードから端末までの第１のバックホール経路と第２のバックホール経路が予め確立されている端末が現在使用している第１のバックホール経路を切替る必要があることを決定することと、
上記端末が現在使用しているバックホール経路を上記第１のバックホール経路から上記第２のバックホール経路に切替ることとを実行し、上記第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない。
【００７８】
具体的には、コンピュータプログラムは、プロセッサ６４によって呼び出されたとき、
第１の無線リレーと上記第１のバックホール経路内の上記第１の無線リレーの前ホップリレー又は次ホップリレーである第２の無線リレーとの間の無線リンク障害を検出し、又は、
ネットワーク側ノードによって送信された、上記第１の無線リレーに上記端末のバックホール経路を切替るように指示する通知メッセージを受信することを実行する。
【００７９】
具体的には、コンピュータプログラムは、プロセッサ６４によって呼び出されたとき、
隣接リレー及びネットワーク側ノードに上記無線リンク障害の指示情報を送信することを実行する。
【００８０】
具体的には、コンピュータプログラムは、プロセッサ６４によって呼び出されたとき、
上記第２のバックホール経路が少なくとも２つのバックホール経路を含む場合、上記端末が現在使用しているバックホール経路を上記第１のバックホール経路から上記第２のバックホール経路に切替る前に、端末によって報告された無線リレーの信号品質の測定結果に基づいて、少なくとも２つの上記第２のバックホール経路から、最適な信号品質を有する第２のバックホール経路を、切替先の第２のバックホール経路として選択することを実行する。
【００８１】
具体的には、コンピュータプログラムは、プロセッサ６４によって呼び出されたとき、
予め確立された、上記第２の無線リレーを含む隣接リレーの無線信号を検出することと、
第２の無線リレーの無線信号の検出結果に基づいて、上記第１の無線リレーと第２の無線リレーとの間のリンクに障害が生じたか否かを決定することとを実行する。
【００８２】
具体的には、コンピュータプログラムは、プロセッサ６４によって呼び出されたとき、
無線信号を検出することにより第１の無線リレーの周囲の無線リレーを検出することと、
検出された無線リレーの情報をネットワーク側ノードに送信し、ネットワーク側ノードから返信された上記第１の無線リレーの隣接リストを受信し、又は、検出された無線リレーから、信号品質が所定の条件を満たす無線リレーを検出して、上記第１の無線リレーの隣接リレーを取得することと、
隣接リレーとのインタフェースを確立することとを実行する。
【００８３】
ここで、上記第１のバックホール経路と上記第２のバックホール経路は異なるベアラリソースを用いてデータ伝送を行い、或いは、上記第１のバックホール経路と上記第２のバックホール経路は同じベアラリソースを用いてデータ伝送を行う。
【００８４】
具体的には、コンピュータプログラムは、プロセッサ６４によって呼び出されたとき、
上記端末によって送信された、上記端末のサービスリレーの隣接リレーの信号品質を含む測定報告情報を受信することと、
上記第１の無線リレーが、上記測定報告情報に基づいて、上記端末に対して、上記第１の無線リレーから、上記サービスリレーの隣接リレーのうち信号品質が所定の閾値を満たすリレーである第１の隣接リレーまでのインタフェースを確立し、上記ネットワーク側ノードから上記端末までの第２のバックホール経路を形成することとを実行する。
【００８５】
具体的には、コンピュータプログラムは、プロセッサ６４によって呼び出されたとき、
上記第１の無線リレーが上記サービスリレーである場合、上記端末によって送信された測定報告情報を受信する前に、上記第１の無線リレーの隣接リレーの情報を含む測定設定情報を上記端末に送信することを実行する。
【００８６】
具体的には、コンピュータプログラムは、プロセッサ６４によって呼び出されたとき、
上記第２のバックホール経路のユーザプレーンがアクティブ化されていない場合、上記端末が現在使用しているバックホール経路を上記第１のバックホール経路から上記第２のバックホール経路に切替る前に、上記第２のバックホール経路のユーザプレーンをアクティブ化することを実行する。
【００８７】
図７を参照して、本開示の実施例は、さらに、
少なくとも第１のバックホール経路及び第２のバックホール経路が予め確立されている端末が現在使用している第１のバックホール経路を切替る必要があることを決定する切替決定ユニット７１と、
第１の無線リレーに上記端末のバックホール経路を切替るように指示する通知メッセージを上記第１の無線リレーに送信する切替通知ユニット７２とを含み、上記第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない、ネットワーク側ノード７０を提供する。
【００８８】
好ましくは、上記切替決定ユニットは、具体的には、上記第１の無線リレーによって報告された無線リンク障害の報告メッセージを受信するとき、端末が現在使用している第１のバックホール経路を切替る必要があることを決定し、前記報告メッセージは、上記第１の無線リレーと第２の無線リレーとの間の無線リンク障害を指示し、上記第２の無線リレーは、上記第１のバックホール経路内の上記第１の無線リレーの前ホップリレー又は次ホップリレーである。
【００８９】
好ましくは、上記切替通知ユニットは、具体的には、上記第２のバックホール経路が少なくとも２つある場合、上記端末からの無線リレーの信号品質の測定結果を受信し、少なくとも２つの上記第２のバックホール経路から、最適な信号品質を有する次ホップリレーが位置する第２のバックホール経路を、切替先の第２のバックホール経路として選択し、切替先の第２のバックホール経路をも指示する上記通知メッセージを上記第１の無線リレーに送信する。
【００９０】
好ましくは、上記ネットワーク側ノードは、さらに、
上記端末からの、上記サービスリレーの隣接リレーの信号品質を含む測定報告情報を受信し、上記測定報告情報に基づいて、上記ネットワーク側ノードから上記第１の無線リレーまでのインタフェース、上記ネットワーク側ノードから第１の隣接リレーまでのインタフェース、及び上記ネットワーク側ノードから上記前ホップリレーを経て上記第１の隣接リレーまでのインタフェースのうち少なくとも１つを上記端末に対して確立し、上記ネットワーク側ノードから上記端末までの第２のバックホール経路を形成する経路確立ユニットを含み、
上記第１の隣接リレーは、上記端末のサービスリレーの隣接リレーのうち、信号品質が所定の閾値を満たすリレーである。
【００９１】
好ましくは、上記ネットワーク側ノードは、さらに、
上記第１の無線リレーの隣接リレーの情報を含む測定設定情報を上記端末に送信する設定送信ユニットを含む。
【００９２】
具体的には、本開示の実施例は、さらに、別のネットワーク側ノードを提供する。図８に示すとおり、該ネットワーク側ノード８００は、アンテナ８１、無線周波数装置８２及びベースバンド装置８３を含む。アンテナ８１は無線周波数装置８２と接続される。アップリンク方向に沿って、無線周波数装置８２は、アンテナ８１を介して情報を受信し、かつ受信した情報をベースバンド装置８３に送信して処理を行う。ダウンリンク方向に沿って、ベースバンド装置８３は、送信対象となる情報を処理し、無線周波数装置８２に送信し、無線周波数装置８２は、受信した情報を処理してからアンテナ８１を介して送信する。
【００９３】
上記帯域処理装置は、ベースバンド装置８３内に位置してよく、以上の実施例のネットワーク側ノードが実行する方法は、ベースバンド装置８３において実現されてよく、該ベースバンド装置８３はプロセッサ８４とメモリ８５を含む。
【００９４】
ベースバンド装置８３は、例えば少なくとも１つのベースバンドボードを含んでよく、該ベースバンドボードに複数のチップが設置され、図８に示すように、そのうち１つのチップは、例えばメモリ８５と接続され、メモリ８５内のプログラムを呼び出して以上の方法実施例に示すネットワーク側ノードの動作を実行するプロセッサ８４である。
【００９５】
該ベースバンド装置８３は、無線周波数装置８２と情報をやり取りするネットワークインタフェース８６をさらに含んでよく、該インタフェースは、例えば共通公衆無線インタフェース（ｃｏｍｍｏｎ  ｐｕｂｌｉｃ  ｒａｄｉｏ  ｉｎｔｅｒｆａｃｅ、ＣＰＲＩ）である。
【００９６】
ここでのプロセッサは１つのプロセッサであってもよく、複数の処理素子の総称であってもよく、例えば、該プロセッサはＣＰＵであってもよく、ＡＳＩＣであってもよく、又は、以上のネットワーク側ノードによって実行される方法を実施するように設定された１つ以上の集積回路、例えば１つ以上のマイクロプロセッサＤＳＰや１つ以上のフィールドプログラマブルゲートアレイＦＰＧＡ等である。記憶素子は、１つのメモリであってもよく、複数の記憶素子の総称であってもよい。
【００９７】
メモリ８５は、揮発性メモリ又は不揮発性メモリであってもよく、揮発性と不揮発性メモリの両方を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、多くの形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）等を使用することができる。本願において説明されるメモリ８５は、これらと他の任意の適切なタイプのメモリを含むが、それらに限定されない。
【００９８】
具体的には、本開示の実施例に係るネットワーク側ノードは、さらに、メモリ８５に記憶されプロセッサ８４で実行可能なコンピュータプログラムを含み、プロセッサ８４は、メモリ８５内のコンピュータプログラムを呼び出して、図７に示す各モジュールによって実行される方法を実行する。
【００９９】
具体的には、コンピュータプログラムは、プロセッサ８４によって呼び出されたとき、
少なくとも第１のバックホール経路及び第２のバックホール経路が予め確立されている端末が現在使用している第１のバックホール経路を切替る必要があることを決定することと、
第１の無線リレーに上記端末のバックホール経路を切替るように指示する通知メッセージを上記第１の無線リレーに送信することとを実行し、上記第１の無線リレーは、上記第１のバックホール経路と上記第２のバックホール経路内のリレーであり、かつ上記第１のバックホール経路と上記第２のバックホール経路内の第１の無線リレーの前ホップリレー又は次ホップリレーが同じではない。
【０１００】
コンピュータプログラムは、プロセッサ８４によって呼び出されたとき、さらに、
上記第１の無線リレーによって報告された無線リンク障害の報告メッセージを受信することを実行し、上記報告メッセージは、上記第１の無線リレーと第２の無線リレーとの間の無線リンク障害を指示し、上記第２の無線リレーは、上記第１のバックホール経路内の上記第１の無線リレーの前ホップリレー又は次ホップリレーである。
【０１０１】
コンピュータプログラムは、プロセッサ８４によって呼び出されたとき、さらに、
上記端末からの無線リレーの信号品質の測定結果を受信し、少なくとも２つの上記第２のバックホール経路から、最適な信号品質を有する次ホップリレーが位置する第２のバックホール経路を、切替先の第２のバックホール経路として選択することと、
切替先の第２のバックホール経路をも指示する上記通知メッセージを上記第１の無線リレーに送信することとを実行する。
【０１０２】
コンピュータプログラムは、プロセッサ８４によって呼び出されたとき、さらに、
上記端末からの、上記サービスリレーの隣接リレーの信号品質を含む測定報告情報を受信することと、
上記測定報告情報に基づいて、上記ネットワーク側ノードから上記第１の無線リレーまでのインタフェース、上記ネットワーク側ノードから第１の隣接リレーまでのインタフェース、及び上記ネットワーク側ノードから上記前ホップリレーを経て上記第１の隣接リレーまでのインタフェースのうち少なくとも１つを上記端末に対して確立し、上記ネットワーク側ノードから上記端末までの第２のバックホール経路を形成することとを実行し、
上記第１の隣接リレーは、上記端末のサービスリレーの隣接リレーのうち、信号品質が所定の閾値を満たすリレーである。
【０１０３】
コンピュータプログラムは、プロセッサ８４によって呼び出されたとき、さらに、
上記第１の無線リレーの隣接リレーの情報を含む測定設定情報を上記端末に送信することを実行する。
【０１０４】
図９を参照して、本開示の実施例は、さらに、
第１の無線リレーの隣接リレーの信号品質を測定する測定ユニット９１と、
ネットワーク側ノード又は端末のサービスリレーＳＩＡＢ若しくは上記サービスリレーの前ホップリレーＮＩＡＢである第１の無線リレーに、上記隣接リレーの信号品質の測定結果を報告する報告ユニット９２とを含む、端末９０を提供する。
【０１０５】
好ましくは、上記端末は、さらに、
上記ネットワーク側ノード又は第１の無線リレーによって送信された、上記第１の無線リレーの隣接リレーの情報を含む測定設定情報を受信する設定受信ユニットを含む。
【０１０６】
上記目的をよりよく達成するために、さらに、図１０は、本開示の各実施例を実現する端末のハードウェア構成図であり、該端末１００は、無線周波数ユニット１０１、ネットワークモジュール１０２、オーディオ出力ユニット１０３、入力ユニット１０４、センサ１０５、表示ユニット１０６、ユーザ入力ユニット１０７、インタフェースユニット１０８、メモリ１０９、プロセッサ１０１０及び電源１０１１等の部品を含むが、これらに限定されない。当業者が理解できるように、図１０に示す端末構成は、端末を限定するものではなく、端末は、図示より多いか又は少ない部品を含んでもよく、ある部品を組み合わせたり、異なる部品を配置したりしてもよい。本開示の実施例では、端末は、携帯電話、タブレット、ノートパソコン、ハンドトップ、車載端末、ウェアラブルデバイス及び歩数計等を含むが、これらに限定されない。
【０１０７】
無線周波数ユニット１０１は、第１の無線リレーの隣接リレーの信号品質を測定し、ネットワーク側ノード又は上記端末のサービスリレーＳＩＡＢ若しくは上記サービスリレーの前ホップリレーＮＩＡＢである第１の無線リレーに、上記隣接リレーの信号品質の測定結果を報告する。
【０１０８】
無線周波数ユニット１０１は、さらに、上記ネットワーク側ノード又は第１の無線リレーによって送信された、上記第１の無線リレーの隣接リレーの情報を含む測定設定情報を受信する。
【０１０９】
本開示の実施例では、無線周波数ユニット１０１が情報の送受信又は通話中の信号の送受信に用いられてよく、具体的には、基地局からのダウンリンクデータを受信した後、プロセッサ１０１０に処理させ、また、アップリンクデータを基地局に送信すると理解すべきである。一般的には、無線周波数ユニット１０１は、アンテナ、少なくとも１つの増幅器、送受信機、結合器、低雑音増幅器、デュプレクサ等を含むが、これらに限定されない。また、無線周波数ユニット１０１は、さらに、無線通信システム及びネットワークを介して他の装置と通信することができる。
【０１１０】
端末は、ネットワークモジュール１０２によりユーザに無線のブロードバンドインターネットアクセスを提供して、ユーザの電子メールの送受信、ウェブの閲覧及びストリーミングメディアのアクセス等を助ける。
【０１１１】
オーディオ出力ユニット１０３は、無線周波数ユニット１０１又はネットワークモジュール１０２が受信した、又はメモリ１０９に記憶されたオーディオデータをオーディオ信号に変換して出力することができる。そして、オーディオ出力ユニット１０３は、さらに、端末１００によって実行される特定の機能に関連するオーディオ出力（例えば、呼出音、メッセージ着信音等）を提供することができる。オーディオ出力ユニット１０３は、スピーカー、ブザー及びレシーバー等を含む。
【０１１２】
入力ユニット１０４は、オーディオ又はビデオ信号を受信する。入力ユニット１０４は、グラフィック処理ユニット（Ｇｒａｐｈｉｃｓ  Ｐｒｏｃｅｓｓｉｎｇ  Ｕｎｉｔ、ＧＰＵ）１０４１及びマイクロフォン１０４２を含んでよく、グラフィック処理ユニット１０４１は、動画撮影モード又は撮影モードで撮影装置（例えば、カメラ）によって取得された静止画像又はビデオの画像データを処理する。処理後の画像フレームを表示ユニット１０６に表示することができる。グラフィック処理ユニット１０４１によって処理された画像フレームは、メモリ１０９（又は他の記憶媒体）に記憶されてもよく、無線周波数ユニット１０１又はネットワークモジュール１０２を介して送信されてもよい。マイクロフォン１０４２は、音声を受信し、かつこのような音声をオーディオデータに処理することができる。処理後のオーディオデータは、電話通話モードの場合に、無線周波数ユニット１０１を介して移動通信基地局に送信されるフォーマットに変換されて出力することができる。
【０１１３】
端末１００は、光センサ、動きセンサ及び他のセンサ等の少なくとも１種のセンサ１０５を含んでもよい。具体的には、光センサは、環境光線の明るさに応じて表示パネル１０６１の輝度を調節することができる環境光センサと、端末１００が耳元に移動するときに、表示パネル１０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）等に用いられてよく、センサ１０５は、指紋センサ、圧力センサ、虹彩センサ、分子センサ、ジャイロスコープ、気圧計、湿度計、温度計、赤外線センサ等を含んでもよく、ここでは説明を省略する。
【０１１４】
表示ユニット１０６は、ユーザによって入力された情報又はユーザに提供された情報を表示する。表示ユニット１０６は、表示パネル１０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形態で表示パネル３６１を配置することができる。
【０１１５】
ユーザ入力ユニット１０７は、入力された数字又は文字情報を受信すると共に、端末のユーザ設定及び機能制御に関連するキー信号入力を生成することができる。具体的には、ユーザ入力ユニット１０７は、タッチパネル１０７１及び他の入力装置１０７２を含む。タッチパネル１０７１は、タッチスクリーンとも呼ばれ、その上又はその近くでのユーザのタッチ操作（例えば、指、スタイラスペン等の任意の適切な物体又は付属品を用いるタッチパネル１０７１上又はタッチパネル１０７１の近くでのユーザの操作）を収集することができる。タッチパネル１０７１は、タッチ検出装置及びタッチコントローラの２つの部品を含んでよい。タッチ検出装置は、ユーザのタッチ方向を検出し、かつタッチ操作による信号を検出し、信号をタッチコントローラに伝送し、タッチコントローラは、タッチ検出装置からタッチ情報を受信し、タッチポイント座標に変換して、プロセッサ１０１０に送信し、プロセッサ１０１０からのコマンドを受信して実行する。また、抵抗式、容量式、赤外線式及び表面弾性波式等の複数のタイプでタッチパネル１０７１を実現することができる。タッチパネル１０７１に加えて、ユーザ入力ユニット１０７は、他の入力装置１０７２を含んでもよい。具体的には、他の入力装置１０７２は、物理キーボード、機能キー（例えば、ボリューム調節キー、スイッチキー等）、トラックボール、マウス及び操作レバーを含むが、これらに限定されず、ここでは説明を省略する。
【０１１６】
さらに、タッチパネル１０７１は、表示パネル１０６１をカバーすることができ、タッチパネル１０７１がその上又はその近くでのタッチ操作を検出した後、プロセッサ１０１０に伝送してタッチイベントのタイプを決定し、その後に、プロセッサ１０１０は、タッチイベントのタイプに応じて対応する視覚的出力を表示パネル１０６１に提供する。図１０において、タッチパネル１０７１と表示パネル１０６１は２つの独立した部品として端末の入出力機能を実現するが、いくつかの実施例では、タッチパネル１０７１と表示パネル１０６１を一体化して端末の入出力機能を実現することができ、ここでは具体的に限定しない。
【０１１７】
インタフェースユニット１０８は、外部装置と端末１００を接続するインタフェースである。例えば、外部装置は、有線／無線ヘッドフォンポート、外部電源（又は電池充電器）ポート、有線／無線データポート、メモリカードポート、識別モジュールを備えた装置との接続のためのポート、オーディオ入力／出力（Ｉ／Ｏ）ポート、ビデオＩ／Ｏポート、ヘッドフォンポート等を含んでよい。インタフェースユニット１０８は、外部装置からの入力（例えば、データ情報、電力等）を受信すると共に、受信した入力を端末１００内の１つ以上の素子に伝送するか又は端末１００と外部装置との間にデータを伝送する。
【０１１８】
メモリ１０９は、ソフトウェアプログラム及び様々なデータを記憶することができる。メモリ１０９は、主に、オペレーティングシステム、少なくとも１つの機能に必要なアプリケーションプログラム等（例えば、音声再生機能、画像再生機能等）を記憶することができるプログラム記憶領域と、携帯電話の使用に応じて作成されたデータ等（例えば、オーディオデータ、電話帳等）を記憶することができるデータ記憶領域とを含んでよい。また、メモリ１０９は、高速ランダムアクセスメモリを含んでもよく、不揮発性メモリ、例えば少なくとも１つの磁気ディスクメモリ素子、フラッシュメモリ素子又は他の揮発性固体メモリ素子等を含んでもよい。
【０１１９】
プロセッサ１０１０は、端末の制御センターであり、様々なインタフェースと回線により端末全体の各部分に接続され、メモリ１０９に記憶されたソフトウェアプログラム及び／又はモジュールを動作させるか又は実行し、メモリ１０９に記憶されたデータを呼び出すことにより、端末の様々な機能とデータ処理を実行して端末全体を監視する。プロセッサ１０１０は、１つ以上の処理ユニットを含んでよく、好ましくは、プロセッサ１０１０は、主にオペレーティングシステム、ユーザインタフェース及びアプリケーションプログラム等を処理するアプリケーションプロセッサと、主に無線通信を処理するモデムプロセッサとを集積することができる。上記モデムプロセッサは、プロセッサ１０１０内に集積されなくてもよいことが理解されたい。
【０１２０】
端末１００は、各部品に給電する電源１０１１（例えば、電池）を含んでもよく、好ましくは、電源１０１１は、電源管理システムを介してプロセッサ１０１０と論理的に接続されることにより、電源管理システムによって充電、放電の管理及び消費電力の管理等の機能を実現することができる。
【０１２１】
また、端末１００は、いくつかの未図示の機能モジュールを含み、ここでは説明を省略する。
【０１２２】
好ましくは、本開示の実施例は、プロセッサ１０１０と、メモリ１０９と、メモリ１０９に記憶されて上記プロセッサ１０１０で実行可能であり、かつプロセッサ１０１０によって実行される場合に上記リソーススケジューリング指示方法の実施例の各ステップを実現し、かつ同じ技術的効果を達成することができるコンピュータプログラムとを含む、端末をさらに提供し、重複を避けるために、ここでは説明を省略する。端末は、無線端末であってもよく、有線端末であってもよく、無線端末は、ユーザに音声及び／又は他のサービスデータ接続性を提供する装置、無線接続機能を有するハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ、ＲＡＮ）を介して１つ以上のコアネットワークと通信可能であり、無線端末は、携帯端末、例えば携帯電話（又は、「セルラー」電話）と携帯端末を有するコンピュータ、例えば携帯式、ポケット、手持ち式、コンピュータ内蔵又は車載の携帯機器であってよく、それらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルディジタルアシスタント（Ｐｅｒｓｏｎａｌ  Ｄｉｇｉｔａｌ  Ａｓｓｉｓｔａｎｔ、ＰＤＡ）等の装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ  ｏｒ  Ｕｓｅｒ  Ｅｑｕｉｐｍｅｎｔ）とも呼ばれ、ここでは限定しない。
【０１２３】
上記目的をよりよく達成するために、本開示の実施例は、プロセッサと、メモリと、メモリに記憶されてプロセッサで実行可能であり、かつプロセッサによって実行される場合に上述したバックホール経路切替方法のステップを実現するコンピュータプログラムとを含む、ネットワーク側ノード又は第１の無線リレーをさらに提供する。
【０１２４】
本開示の実施例は、プロセッサと、メモリと、メモリに記憶されて上記プロセッサで実行可能であり、かつ上記プロセッサによって実行される場合に上述したバックホール経路切替方法のステップを実現するコンピュータプログラムとを含む、端末をさらに提供する。
【０１２５】
本開示の実施例は、プロセッサによって実行される場合に上述したバックホール経路切替方法のステップを実現するコンピュータプログラムが記憶されている、コンピュータ可読記憶媒体をさらに提供する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ディスク又は光ディスク等であってよい。
【０１２６】
なお、以上のネットワーク装置と端末の各モジュールの区分は、論理機能の区分に過ぎず、実際に実現する時に全部又は一部を１つの物理的実体に集積してもよく、物理的に分離してもよい。これらのモジュールは、全て処理素子によりソフトウェアを呼び出す形態で実現されてもよく、全てハードウェアの形態で実現されてもよく、さらに、一部のモジュールは、処理素子がソフトウェアを呼び出す形態で実現され、一部のモジュールはハードウェアの形態で実現されてもよい。例えば、決定モジュールは、別個に設置された処理素子であってもよく、上記装置のあるチップに集積されて実現されてもよく、また、プログラムコードの形態で上記装置のメモリに記憶され、上記装置のある処理素子によって呼び出されて、以上の決定モジュールの機能を実行してもよい。他のモジュールの実現はそれに類似する。また、これらのモジュールは、全部又は一部が集積されてもよく、別個に実現されてもよい。ここでの処理素子は、信号の処理能力を有する集積回路であってよい。実現過程において、上記方法の各ステップ又は以上の各モジュールは、プロセッサの部品におけるハードウェアの集積論理回路又はソフトウェア形態の指令によって達成できる。
【０１２７】
例えば、以上のこれらのモジュールは、以上の方法を実施する１つ以上の集積回路、例えば１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つ以上のマイクロプロセッサ、１つ以上のデジタル信号プロセッサ（ｄｉｇｉｔａｌ  ｓｉｇｎａｌ  ｐｒｏｃｅｓｓｏｒ、ＤＳＰ）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）等として配置されてよい。また、以上のいずれかのモジュールは処理素子がプログラムコードを呼び出す形態で実現されると、該処理素子は、汎用プロセッサ、例えば中央処理装置（Ｃｅｎｔｒａｌ  Ｐｒｏｃｅｓｓｉｎｇ  Ｕｎｉｔ、ＣＰＵ）又はプログラムコードを呼び出し可能な他のプロセッサ等であってよい。また、これらのモジュールは集積されて、システムオンチップ（ｓｙｓｔｅｍ−ｏｎ−ａ−ｃｈｉｐ、ＳＯＣ）の形態で実現することができる。
【０１２８】
当業者であれば理解できるように、本明細書で開示される実施例に説明された各例のユニット及びアルゴリズムステップと組み合わせて、電子ハードウェア、又はコンピュータソフトウェア及び電子ハードウェアの結合により実現することができる。これらの機能がハードウェアの形態で実行されるか又はソフトウェアの形態で実行されるかは、技術手段の特定のアプリケーション及び設計上の制約条件に依存する。当業者は、各特定のアプリケーションに対して異なる方法を使用して説明された機能を実現することができるが、このような実現は本開示の範囲を超えていると考えられるべきではない。
【０１２９】
当業者であれば明確に理解できるように、便利かつ簡潔で説明するために、上述したシステム、装置及びユニットの具体的な動作プロセスについて、前述の方法実施例における対応するプロセスを参照することができ、ここでは説明を省略する。
【０１３０】
本願が提供する実施例では、開示される装置及び方法は他の形態によって実現することができると理解されたい。例えば、上述した装置実施例は、例示的なものに過ぎず、例えば、上記ユニットの区分は、論理機能の区分に過ぎず、実際に実施するときに他の区分方式もあり、例えば、複数のユニット又は部材は結合されるか又は別のシステムに集積されてもよく、いくつかの特徴は無視されるか又は実行されなくてもよい。また、示されるか又は議論される相互結合、直接結合又は通信接続は、いくつかのインタフェースを使用して実現でき、装置やユニット間の間接結合又は通信接続は、電気的、機械的、又は他の形式であってもよい。
【０１３１】
分離部品として説明した上記ユニットは、物理的に分離しても分離しなくてもよく、ユニットとして表示される部品は、物理ユニットであってもなくてもよく、つまり、１つの箇所に位置してもよく、複数のネットワークユニットに分布してもよい。実際の需要に応じて、それらのうちの一部又は全てのユニットを選択して本実施例の技術手段の目的を達成することができる。
【０１３２】
また、本開示の各実施例の各機能ユニットは１つの処理ユニットに集積されてもよく、各ユニットは別個に物理的に存在してもよく、さらに２つ以上のユニットは１つのユニットに集積されてもよい。
【０１３３】
上記機能がソフトウェア機能ユニットの形態で実現され、かつ独立した製品として販売又は使用されば、１つのコンピュータ可読記憶媒体に記憶することができる。このような理解に基づいて、本開示の技術手段の本質的な又は従来技術に貢献する部分又は該技術手段の一部は、ソフトウェア製品の形態で実現することができ、該コンピュータソフトウェア製品は、コンピュータ装置（パーソナルコンピュータ、サーバ、又はネットワーク装置等であってよい）に本開示の各実施例に記載の方法の全部又は一部のステップを実行させるためのいくつかの指令を含み、記憶媒体に記憶されている。前述の記憶媒体は、ＵＳＢメモリ、モバイルハードディスク、ＲＯＭ、ＲＡＭ、ディスク又は光ディスク等の、プログラムコードを記憶できる様々な媒体を含む。
【０１３４】
なお、本開示の装置及び方法において、明らかに、各部品又は各ステップは分解及び／又は再結合することができる。これらの分解及び／又は再結合は、本開示の等価な方案と見なすべきである。そして、上記一連の処理を実行するステップは、自然的に説明の順に時間順に実行することができるが、必ずしも時間順に実行される必要がなく、いくつかのステップは並行又は互いに独立して実行することもできる。当業者であれば理解できるように、本開示の方法及び装置の全部又は任意のステップや部品は、任意の計算装置（プロセッサ、記憶媒体等を含む）又は計算装置のネットワークにおいて、ハードウェア、ファームウェア、ソフトウェア又はそれらの組み合わせによって実現することができ、これは、当業者が本開示の説明を読んだ上で彼らの基本的なプログラミングスキルを利用して実現できるものである。
【０１３５】
したがって、本開示の目的は、任意の計算装置で１つのプログラムを実行したり、１セットのプログラムを実行したりすることにより実現することができる。上記計算装置は、公知の汎用装置であってもよい。したがって、本開示の目的は、さらに、上記方法又は装置を実現するプログラムコードを含むプログラム製品のみを提供することにより達成することができる。つまり、このようなプログラム製品も本開示を構成するものであり、かつこのようなプログラム製品が記憶されている記憶媒体も本開示を構成するものである。明らかに、上記記憶媒体は、任意の公知の記憶媒体又は将来に開発される任意の記憶媒体であってよい。なお、本開示の装置及び方法において、明らかに、各部品又は各ステップは分解及び／又は再結合することができる。これらの分解及び／又は再結合は、本開示の等価な方案と見なすべきである。そして、上記一連の処理を実行するステップは、自然的に説明の順に時間順に実行することができるが、必ずしも時間順に実行される必要がない。いくつかのステップは並列的又は互いに独立して実行することもできる。
【０１３６】
以上の説明は、本開示の好ましい実施形態であり、なお、当業者であれば、本開示の上記原理から逸脱しない前提でいくつかの改良と修飾を行うこともでき、これらの改良と修飾も本開示の保護範囲に含まれる。
【図１】
2021519007.tif 000003
【図２】
2021519007.tif 000004
【図３】
2021519007.tif 000005
【図４】
2021519007.tif 000006
【図５】
2021519007.tif 000007
【図６】
2021519007.tif 000008
【図７】
2021519007.tif 000009
【図８】
2021519007.tif 000010
【図９】
2021519007.tif 000011
【図１０】
2021519007.tif 000012
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
第１の無線リレー（５０）に適用されるバックホール経路切替方法であって、
第１の無線リレー（５０）が、少なくともネットワーク側ノード（７０）から端末（９０）までの第１のバックホール経路（２１）と第２のバックホール経路（２２）が予め確立されている端末（９０）が現在使用している第１のバックホール経路を切替る必要があることを決定することと、
前記端末（９０）が現在使用しているバックホール経路を前記第１のバックホール経路から前記第２のバックホール経路に切替ることとを含み、
前記第１の無線リレー（５０）は、前記第１のバックホール経路と前記第２のバックホール経路内のリレーであり、かつ前記第１のバックホール経路と前記第２のバックホール経路内の第１の無線リレー（５０）の前ホップリレー又は次ホップリレーが同じではないことを特徴とする、バックホール経路切替方法。
【請求項２】
端末（９０）が現在使用している第１のバックホール経路を切替る必要があることを決定することは、
前記第１の無線リレー（５０）が、それ自体と、前記第１のバックホール経路内の前記第１の無線リレーの前ホップリレー又は次ホップリレーである第２の無線リレーとの間の無線リンク障害を検出すること、又は、
前記第１の無線リレー（５０）が、ネットワーク側ノード（７０）によって送信された、前記第１の無線リレー（５０）に前記端末（９０）のバックホール経路を切替るように指示する通知メッセージを受信することを含む、請求項１に記載の方法。
【請求項３】
第１の無線リレー（５０）がそれ自体と第２の無線リレーとの間の無線リンク障害を検出した後に、前記方法は、さらに、
前記第１の無線リレー（５０）が隣接リレーに前記無線リンク障害の指示情報を送信することを含む、請求項２に記載の方法。
【請求項４】
前記第２のバックホール経路が少なくとも２つある場合、前記端末（９０）が現在使用しているバックホール経路を前記第１のバックホール経路から前記第２のバックホール経路に切替る前に、前記方法は、さらに、
端末（９０）によって報告された無線リレーの信号品質の測定結果に基づいて、少なくとも２つの前記第２のバックホール経路から、最適な信号品質を有する第２のバックホール経路を、切替先の第２のバックホール経路として選択することを含む、請求項１―３のいずれかの一つに記載の方法。
【請求項５】
前記第１の無線リレー（５０）がそれ自体と第２の無線リレーとの間の無線リンク障害を検出することは、
前記第１の無線リレー（５０）が、予め確立された、前記第２の無線リレーを含む隣接リレーの無線信号を検出することと、
第２の無線リレーの無線信号の検出結果に基づいて、前記第１の無線リレー（５０）と第２の無線リレーとの間のリンクに障害が生じたか否かを決定することとを含む、請求項２に記載の方法。
【請求項６】
端末（９０）が現在使用している第１のバックホール経路を切替る必要があることを決定する前に、前記方法は、さらに、
無線信号を検出することにより第１の無線リレー（５０）の周囲の無線リレーを検出し、
検出された無線リレーの情報をネットワーク側ノード（７０）に送信し、ネットワーク側ノード（７０）から返信された前記第１の無線リレー（５０）の隣接リストを受信し、又は、検出された無線リレーから、信号品質が所定の条件を満たす無線リレーを検出して、前記第１の無線リレー（５０）の隣接リレーを取得し、そして、
隣接リレーとの間のインタフェースを確立することにより、前記第１の無線リレー（５０）の少なくとも１つの隣接リレーを含む第１の無線リレー（５０）の隣接リストを確立することを含む、請求項１―５のいずれかの一つに記載の方法。
【請求項７】
前記第２のバックホール経路のユーザプレーンがアクティブ化されていない場合、前記端末（９０）が現在使用しているバックホール経路を前記第１のバックホール経路から前記第２のバックホール経路に切替る前に、前記方法は、さらに、前記第２のバックホール経路のユーザプレーンをアクティブ化することを含む、請求項１に記載の方法。
【請求項８】
ネットワーク側ノード（７０）に適用されるバックホール経路切替方法であって、
ネットワーク側ノード（７０）が、少なくとも第１のバックホール経路及び第２のバックホール経路が予め確立されている端末（９０）が現在使用している第１のバックホール経路（３１）を切替る必要があることを決定することと、
ネットワーク側ノード（７０）が、第１の無線リレー（５０）に前記端末（９０）のバックホール経路（３２）を切替るように指示する通知メッセージを前記第１の無線リレー（５０）に送信することとを含み、前記第１の無線リレー（５０）は、前記第１のバックホール経路と前記第２のバックホール経路内のリレーであり、かつ前記第１のバックホール経路と前記第２のバックホール経路内の第１の無線リレー（５０）の前ホップリレー又は次ホップリレーが同じではないことを特徴とする、バックホール経路切替方法。
【請求項９】
端末（９０）に適用されるバックホール経路切替方法であって、
前記端末（９０）が第１の無線リレー（５０）の隣接リレーの信号品質を測定することと、
前記端末（９０）が、ネットワーク側ノード（７０）又は前記端末（９０）のサービスリレー若しくは前記サービスリレーの前ホップリレーである第１の無線リレー（５０）に、前記隣接リレーの信号品質の測定結果を報告することとを含むことを特徴とする、バックホール経路切替方法。
【請求項１０】
第１の無線リレー（５０）であって、
少なくともネットワーク側ノード（７０）から端末（９０）までの第１のバックホール経路と第２のバックホール経路が予め確立されている前記端末（９０）が現在使用している第１のバックホール経路を切替る必要があることを決定する切替決定ユニット（５１）と、
前記端末（９０）が現在使用しているバックホール経路を前記第１のバックホール経路から第２のバックホール経路に切替る切替処理ユニット（５２）とを含み、
第１の無線リレー（５０）は、前記第１のバックホール経路と前記第２のバックホール経路内のリレーであり、かつ前記第１のバックホール経路と前記第２のバックホール経路内の前ホップリレー又は次ホップリレーが同じではないことを特徴とする、第１の無線リレー（５０）。
【請求項１１】
前記切替決定ユニット（５１）は、
上記第１の無線リレー（５０）と上記第１のバックホール経路内の上記第１の無線リレー（５０）の前ホップリレー又は次ホップリレーである第２の無線リレーとの間の無線リンク障害を検出する第１の検出ユニット、又は
ネットワーク側ノード（７０）によって送信された、上記第１の無線リレー（５０）に上記端末（９０）のバックホール経路を切替るように指示する通知メッセージを受信する第１の受信ユニットを含む、前記請求項１０に記載の第１の無線リレー。
【請求項１２】
第１の無線リレー（５０）と第２の無線リレーとの間の無線リンク障害を検出した後、隣接リレー及びネットワーク側ノードに上記無線リンク障害の指示情報を送信する指示ユニットをさらに含む、請求項１１に記載の第１の無線リレー（５０）。
【請求項１３】
ネットワーク側ノード（７０）であって、
少なくとも第１のバックホール経路及び第２のバックホール経路が予め確立されている端末（９０）が現在使用している第１のバックホール経路を切替る必要があることを決定する切替決定ユニット（７１）と、
第１の無線リレー（５０）に前記端末（９０）のバックホール経路を切替るように指示する通知メッセージを前記第１の無線リレー（５０）に送信する切替通知ユニット（７２）とを含み、
前記第１の無線リレー（５０）は、前記第１のバックホール経路と前記第２のバックホール経路内のリレーであり、かつ前記第１のバックホール経路と前記第２のバックホール経路内の第１の無線リレー（５０）の前ホップリレー又は次ホップリレーが同じではないことを特徴とする、ネットワーク側ノード（７０）。
【請求項１４】
端末（９０）であって、
第１の無線リレー（５０）の隣接リレーの信号品質を測定する測定ユニット（９１）と、
ネットワーク側ノード、又はサービスリレー若しくは前記サービスリレーの前ホップリレーである第１の無線リレー（５０）に、前記隣接リレーの信号品質の測定結果を報告する報告ユニット（９２）とを含むことを特徴とする、端末（９０）。
【請求項１５】
コンピュータ可読記憶媒体であって、
プロセッサによって実行される場合に請求項１〜９のいずれか１項に記載のバックホール経路切替方法のステップを実現するコンピュータプログラムが記憶されていることを特徴とする、コンピュータ可読記憶媒体。
【手続補正２】
【補正対象書類名】明細書
【補正対象項目名】０００１
【補正方法】変更
【補正の内容】
【０００１】
本開示は、通信の技術分野に関し、特に、バックホール経路切替方法、無線リレー、ネットワーク側ノード及び端末に関する。
【国際調査報告】
2021519007.tif 000013
2021519007.tif 000014
2021519007.tif 000015
2021519007.tif 000016
2021519007.tif 000017
2021519007.tif 000018